(57)【要約】【課題】  断熱箱体に形成された背面ダクトからの冷気を棚前端の冷気吐出口から吹き出す場合に、その吹き出し高さを容易に変更することができるショーケースを提供する。【解決手段】  ショーケース１は、断熱壁３内に陳列室１１を構成し、この陳列室１１内に商品陳列用の棚装置４を上下に複数段、架設して成るものであって、陳列室１１の背面に位置し、断熱壁３との間に冷気が上昇する背面ダクト９を構成するための背面パネル６と、棚装置４に着脱可能に取り付けられ、後端が背面パネル６の連通部にて背面ダクト９に連通すると共に、前端に棚下冷気吐出口２７が構成された棚ダクト部材５を備える。【選択図】図１
2005131037.tif 000002
【特許請求の範囲】
【請求項１】
断熱壁内に陳列室を構成し、該陳列室内に商品陳列用の棚を上下に複数段、架設して成るショーケースにおいて、
前記陳列室の背面に位置し、前記断熱壁との間に冷気が上昇する背面ダクトを構成するための背面パネルと、
前記棚に着脱可能に取り付けられ、後端が前記背面パネルの連通部にて前記背面ダクトに連通すると共に、前端に冷気吐出口が構成された棚ダクト部材とを備えたことを特徴とするショーケース。
【請求項２】
前記棚は、支柱に対して上下位置変更可能に架設されることを特徴とする請求項１のショーケース。
【請求項３】
前記背面パネルは、前記棚ダクト部材が取り付けられる前記棚の位置に合わせ、前記連通部の上下位置を変更可能とされていることを特徴とする請求項１又は請求項２のショーケース。
【請求項４】
前記背面パネルは、上下に連結されて相互に重複する複数のパネル部材を備えて構成され、相互の重複量を変更することで前記連通部の上下位置が変更可能とされていることを特徴とする請求項３のショーケース。
【請求項５】
前記棚ダクト部材は、前記連通部の上側において前記背面ダクト内を開閉するダンパー部材を備えたことを特徴とする請求項１、請求項２、請求項３又は請求項４のショーケース。
【請求項６】
前記棚は、当該棚上の商品を加熱するための電気ヒータを有することを特徴とする請求項１、請求項２、請求項３、請求項４又は請求項５のショーケース。
【請求項７】
前記棚ダクト部材が取り付けられた前記棚及びその上方の棚の前記電気ヒータに通電することを特徴とする請求項６のショーケース。
【発明の詳細な説明】
【技術分野】
【０００１】
本発明は、断熱壁内に陳列室を構成し、この陳列室内に商品陳列用の棚を架設して成るショーケースに関するものである。
【背景技術】
【０００２】
従来よりスーパーマーケットやコンビニエンスストアなどに設置されるショーケースは、断熱壁の内側に間隔を存して設けた仕切板との間にダクトを構成し、仕切板の内側には陳列室を構成すると共に、ダクトには冷却器と送風機を設置し、この冷却器と熱交換した冷気を送風機により、ダクトから陳列室内に吹き出す構成とされている。
【０００３】
この場合、陳列室の開口上縁には冷気吐出口が形成されると共に、開口下縁には冷気吸込口が形成され、何れもダクトに連通されている。そして、この開口上縁の冷気吐出口から冷気を吹き出し、エアーカーテンを形成しつつ陳列室内を冷却し、吹き出された冷気は開口下縁の冷気吸込口から吸引するものであった。
【０００４】
更に、この陳列室内には、複数段の棚が架設される。棚は、内部に棚ダクト（冷気通路）が構成されており、後端は断熱箱体の背方における背面ダクトと連通している。また、棚の前端には、棚ダクトと連通する冷気吐出口が形成されている。これにより、背面ダクト内を上昇した冷気を、連通部を介して棚ダクト内に引き込み、該棚の前端に形成された冷気吐出口より吐出することにより、該棚下方の陳列室内の商品を冷却する（冷蔵領域。特許文献１参照）。尚、当該棚上方の陳列室内の商品は、棚に取り付けた電気ヒータにて加熱するものであった（温蔵領域）。
【特許文献１】特開２０００−２５８０３１号公報
【発明の開示】
【発明が解決しようとする課題】
【０００５】
このようにして、一台のショーケースの陳列室内を温蔵領域と冷蔵領域とに上下に分けて使用できるようにしていたが、商品の数量は寸法によっては陳列室内のどの高さから上を温蔵領域とし、下方を冷蔵領域とするかが変わってくる。そのため、従来では複数の棚に棚ダクトを構成しておき、冷気を引き込む棚ダクトを変更して温蔵領域と冷蔵領域の大きさを変更していたが、結果として構造の複雑な棚を複数段架設しなければならなくなり、コストの高騰を引き起こしていた。
【０００６】
尚、係る問題は陳列室内を非冷領域（温蔵領域に代わる冷却しない領域。従って、この場合は電気ヒータは設けられず、結果として陳列室内の冷蔵領域を縮小するのみに止まる。）と冷蔵領域とに分けて使用する場合も同様であった。
【０００７】
そこで、本発明は係る従来の技術的課題を解決するために成されたものであり、断熱箱体に形成された背面ダクトからの冷気を棚前端の冷気吐出口から吹き出す場合に、その吹き出し高さを容易に変更することができるショーケースを提供することを目的とする。
【課題を解決するための手段】
【０００８】
本発明のショーケースは、断熱壁内に陳列室を構成し、この陳列室内に商品陳列用の棚を上下に複数段、架設して成るものであって、陳列室の背面に位置し、断熱壁との間に冷気が上昇する背面ダクトを構成するための背面パネルと、棚に着脱可能に取り付けられ、後端が背面パネルの連通部にて背面ダクトに連通すると共に、前端に冷気吐出口が構成された棚ダクト部材とを備えたものである。
【０００９】
請求項２の発明のショーケースは、上記において棚は、支柱に対して上下位置変更可能に架設されることを特徴とする。
【００１０】
請求項３の発明のショーケースは、上記各発明において背面パネルは、棚ダクト部材が取り付けられる棚の位置に合わせ、連通部の上下位置を変更可能とされていることを特徴とする。
【００１１】
請求項４の発明のショーケースは、上記において背面パネルは、上下に連結されて相互に重複する複数のパネル部材を備えて構成され、相互の重複量を変更することで連通部の上下位置が変更可能とされていることを特徴とする。
【００１２】
請求項５の発明のショーケースは、上記各発明において棚ダクト部材は、連通部の上側において背面ダクト内を開閉するダンパー部材を備えたことを特徴とする。
【００１３】
請求項６の発明のショーケースは、上記各発明において棚は、当該棚上の商品を加熱するための電気ヒータを有することを特徴とする。
【００１４】
請求項７の発明のショーケースは、上記において棚ダクト部材が取り付けられた棚及びその上方の棚の電気ヒータに通電することを特徴とする。
【発明の効果】
【００１５】
本発明によれば、断熱壁内に陳列室を構成し、この陳列室内に商品陳列用の棚を上下に複数段、架設して成るショーケースにおいて、陳列室の背面に位置し、断熱壁との間に冷気が上昇する背面ダクトを構成するための背面パネルと、棚に着脱可能に取り付けられ、後端が背面パネルの連通部にて背面ダクトに連通すると共に、前端に冷気吐出口が構成された棚ダクト部材とを備えているので、棚ダクト部材が取り付けられる棚を変更することにより、棚前端からの冷気吹き出し高さを変更することができる。
【００１６】
これにより、陳列室内を下方の冷蔵領域と上方の温蔵領域或いは非冷領域とに分ける場合等に、商品の数量や寸法に応じて各領域の大きさを容易に変更してショーケースの利便性と汎用性を向上させることができるようになる。特に、この場合各棚に棚ダクトを構成して置く必要が無くなるので、棚構造を簡素化し、生産コストの削減を図ることができるようになるものである。
【００１７】
請求項２の発明によれば、上記に加えて棚は、支柱に対して上下位置変更可能に架設されているので、棚前端からの冷気吹き出し高さ変更の自由度がより一層向上するものである。
【００１８】
請求項３の発明によれば、上記各発明に加えて背面パネルは、棚ダクト部材が取り付けられる棚の位置に合わせ、連通部の上下位置を変更可能とされているので、棚ダクト部材の取付位置変更或いは棚の高さ位置変更に際して、棚ダクト部材内への冷気の引き込みを支障無く行えるようになるものである。
【００１９】
請求項４の発明によれば、上記に加えて背面パネルは、上下に連結されて相互に重複する複数のパネル部材を備えて構成され、相互の重複量を変更することで連通部の上下位置が変更可能とされているので、棚ダクト部材の高さに応じてパネル部材の重複量を変更することにより、容易に連通部の上下位置を変更することができる。
【００２０】
請求項５の発明によれば、上記各発明に加えて棚ダクト部材は、連通部の上側において背面ダクト内を開閉するダンパー部材を備えているので、このダンパー部材により棚ダクト部材が取り付けられた棚の上下の陳列室内に供給する冷気量を調整することができるようになる。これにより、陳列室内を種々の商品の陳列に適した温度に分けて使用できるようになり、利便性と汎用性がより一層向上する。
【００２１】
請求項６の発明によれば、上記各発明に加えて棚は、当該棚上の商品を加熱するための電気ヒータを有しているので、請求項７の如く棚ダクト部材が取り付けられた棚及びその上方の棚の電気ヒータに通電することで、棚ダクト部材が取り付けられた棚から上の陳列室内を温蔵領域とし、その下方を冷蔵領域とすることができるようになるものである。
【発明を実施するための最良の形態】
【００２２】
以下、本発明の実施形態を図面に基づき詳細に説明する。図１は本発明を適用したショーケース１の側面図、図２はショーケース１の正面図、図３は棚装置４を取り外した状態のショーケース１の正面図、図４は棚ダクト部材５を引き出した状態のショーケース１の斜視図、図５は棚ダクト部材５を棚装置４に取り付ける作業を説明する棚装置４の拡大斜視図、図６は棚ダクト部材５の斜視図、図７は棚ダクト部材５の拡大縦断正面図、図８は棚ダクト部材５の側面図を示している。
【００２３】
ショーケース１は前面に開口する断面略コ字状の断熱壁３と、その両側に取り付けられる図示しない側板によって本体が構成されており、この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。尚、背面パネル６の詳細については後述する。また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００２４】
背面ダクト９の上端は陳列室１１の前面開口上縁に位置する上部冷気吐出口１６に連通し、下部ダクト１４の前端は陳列室１１の前面開口下縁に位置すると共に、複数のスリットから成る冷気吸込口１７に連通している。また、デッキパン１０の下方の下部ダクト１４内には冷気送給用の送風機１９が配設され、陳列室１１後方の背面ダクト９内には冷却装置の冷凍サイクルを構成する冷却器１５が縦設されている。
【００２５】
陳列室１１内には本発明における棚となる棚装置４が複数段、本実施例では上下に５段架設されている。各棚装置４は、後端に後方に突出する鉤状の爪を有した左右一対のブラケット２１、２１と、このブラケット２１、２１上に差し渡して取り付けられた棚板２２と、この棚板２２の下面に取り付けられた加温用の図示しない電気ヒータとから構成されている。
【００２６】
そして、陳列室１１内の背面パネル６の前面両側に取り付けられた棚支柱２３、２３に上下方向に複数形成された取付孔２４・・・に前記ブラケット２１の爪を係脱自在に係合させることにより、各棚装置４は陳列室１１内において上下位置（高さ）を変更可能に架設されている。尚、この場合、陳列する商品（缶やペットボトル等）の高さ寸法に合わせて効率的な棚配置ができるように、商品に対応した番号や色を棚支柱２３（棚支柱２３の所定の高さの位置）に付しておくと良い。
【００２７】
次に、各図において、５は本発明の棚ダクト部材である。この棚ダクト部材５内には棚ダクト２６が構成されており、この棚ダクト２６の前端は棚ダクト部材５の前端において斜め前下方に開口する棚下冷気吐出口２７に連通され、後端は冷気導入口２８にて開口している。また、この棚ダクト部材５には冷気導入口２８の上側にて前後方向に移動自在に取り付けられたダンパー部材２９が設けられている。更に、棚ダクト部材５の両側には係合部３１、３１が設けられている。
【００２８】
一方、各棚装置４・・・の左右のブラケット２１、２１には上記棚ダクト部材５の係合部３１、３１が係脱自在にそれぞれ係合する保持レール３２が前後にそれぞれ形成されている。そして、この保持レール３２、３２を左右の係合部３１、３１内に後端から差し込むかたちで係合部３１、３１を保持レール３２、３２に係合させ、棚ダクト部材５を前方からブラケット２１、２１間に着脱自在に取り付ける。この状態で、棚ダクト部材５は棚装置４の棚板２２下側に位置し、前端の棚下冷気吐出口２７は陳列室１１の前面開口部において下方に開口することになる。
【００２９】
他方、背面パネル６の上部には複数の図示しない横長の透孔が形成されており、この透孔を塞ぐかたちで上下複数枚の背面パネル部材３６〜３９が取り付けられている。各背面パネル部材３６〜３９は相互に一部重複し、上下に連結されて設けられると共に、化粧ビス４０を緩めることで上下位置変更可能とされ、上下に隣接する背面パネル部材を離間させることで、そこに背面ダクト９に連通する連通部４１を開口構成する。図３の例では最上部の背面パネル部材３６とその下の背面パネル部材３７とが離間され、そこに連通部４１が開口されている。図４の例では背面パネル部材３７とその下の背面パネル部材３８とが離間され、そこに連通部４１が開口されている。
【００３０】
このように、各背面パネル部材３６〜３９の位置を調整し、それらの重複量を変更することで、連通部４１の上下位置も変更可能であり、上記棚ダクト部材５の高さに合わせて連通部４１は構成されることになる。棚ダクト部材５の後端の冷気導入口２８はこの連通部４１に対応し、これによって、棚ダクト２６は背面ダクト９に連通することになる。ダンパー部材２９は図８の如く最も後方に移動された状態で背面ダクト９に突出し、連通部４１の上側において背面ダクト９を塞ぐ。また、図９の如く最も前方に移動された状態では背面ダクト９より前方に移動する。そして、このダンパー部材２９の背面ダクト９への突出寸法は調整可能とされている。
【００３１】
以上の構成で、例えば棚ダクト部材５を上から２段目の棚装置４に取り付けるとすると、先ず図４の如く背面パネル部材３７と３８を移動させてそれらの間に連通部４１を構成し、その状態で上から２段目の棚装置４に棚ダクト部材５を取り付け、その冷気導入口２８を連通部４１に対応させる。そして、陳列室１１内全体を冷蔵使用とする場合には、ダンパー部材２９を図９の如く最も前方に移動させる。
【００３２】
この状態で、送風機１９が運転されると、冷却器１５を熱交換した冷気は背面ダクト９内を上昇し、上部冷気吐出口１６から吐出される。吐出された冷気は陳列室１１の前面開口部に冷気エアーカーテンを構成しながら陳列室１１内を冷却する。そして、冷気吸込口１７から下部ダクト１４に吸引され、再び送風機１９に吸い込まれる循環を繰り返す。これによって、陳列室１１内の全域が冷蔵温度に冷却されることになる。
【００３３】
次に、上から２段目の棚装置４から上を温蔵領域として温蔵使用とし、下を冷蔵領域として冷蔵使用とする場合には、ダンパー部材２９を最も後方に移動させ、最上段及び２段目の棚装置４、４の電気ヒータを発熱させる。ダンパー部材２９は連通部４１より上に向かう冷気を遮断するので、上部冷気吐出口１６からの冷気吐出は無くなり、代わりに電気ヒータにて加熱されるようになるので、上から２段目の棚装置４から上の陳列室１１内は温蔵領域となる。
【００３４】
他方、ダンパー部材２９に衝突した冷気は前方に曲がり、連通部４１から棚ダクト２６内に入る。そして、棚ダクト部材５前端の棚下冷気吐出口２７から下方に向けて吐出されるようになる。棚下冷気吐出口２７から吐出された冷気は２段目の棚装置４より下方の陳列室１１の前面開口部に同様の冷気エアーカーテンを構成しながら２段目の棚装置４より下方の陳列室１１内を循環して冷却した後、冷気吸込口１７から吸い込まれる。これにより、２段目の棚装置４より下方の陳列室１１内が冷蔵領域となる。
【００３５】
ここで、例えば最上段の棚装置４から上の陳列室１１内を温蔵領域とし、その下方を冷蔵領域とする場合には、先ず、背面パネル部材３６と３７を移動させてそれらの間に図３の如く連通部４１を構成し、その状態で上から２段目の棚装置４から棚ダクト部材５を取り外して最上段の棚装置４に取り付ける。そして、その冷気導入口２８を連通部４１に対応させ、ダンパー部材２９を最も後方に移動させる。そして、最上段の棚装置４の電気ヒータを発熱させる。これによって、最上段の棚装置４から上には冷気は供給され無くなり、そこが温蔵領域となる。そして、最上段の棚装置４より下方の陳列室１１内は冷蔵領域となる。
【００３６】
ここで、棚装置４自体も上下位置を変更可能であるので、温蔵領域と冷蔵領域の大きさや高さ調整は棚装置４の移動によって微調整すると良い。
【００３７】
このように、棚ダクト部材５が取り付けられる棚装置４を変更することにより、棚前端からの冷気吹き出し高さを変更することができるので、陳列室１１内を下方の冷蔵領域と上方の温蔵領域とに分ける場合に、商品の数量や寸法に応じて各領域の大きさを容易に変更してショーケース１の利便性と汎用性を向上させることができるようになる。特に、この場合、各棚装置４に棚ダクトを構成して置く必要が無くなるので、棚装置４の構造を簡素化し、生産コストの削減を図ることができるようになる。
【００３８】
また、棚装置４は、棚支柱２３に対して上下位置変更可能に架設されているので、棚前端からの冷気吹き出し高さ変更の自由度がより一層向上する。更に、棚ダクト部材５が取り付けられる棚装置４の位置に合わせ、連通部４１の上下位置を変更可能としているので、棚ダクト部材５の取付位置変更或いは棚装置４の高さ位置変更に際して、棚ダクト部材５内への冷気の引き込みを支障無く行えるようになる。
【００３９】
特に、背面パネル６は、上下に連結されて相互に重複する複数の背面パネル部材３６〜３９を備えて構成され、相互の重複量を変更することで連通部４１の上下位置が変更可能とされているので、棚ダクト部材５の高さに応じて背面パネル部材３６〜３９の重複量を変更することにより、容易に連通部４１の上下位置を変更することができる。
【００４０】
また、棚ダクト部材５は、連通部４１の上側において背面ダクト９内を開閉するダンパー部材２９を備えている。従って、ダンパー部材２９により棚ダクト部材５が取り付けられた棚装置４の上下の陳列室１１内に供給する冷気量を調整することもできるようになる。例えば、全ての電気ヒータを非通電とし、２段目に取り付けた棚ダクト部材５のダンパー部材２９によって背面ダクト９を１／３閉じると、２段目の棚装置４より上の陳列室１１内は通常の冷蔵温度よりも高い温度となり、下方は略通常の冷蔵温度に近い温度となる。これにより、陳列室１１内を種々の商品の陳列に適した温度に分けて使用できるようになり、利便性と汎用性がより一層向上する。
【００４１】
尚、実施例では棚ダクト部材５が取り付けられた棚装置４から上を電気ヒータで温蔵領域としたが、電気ヒータに通電すること無く、或いは、電気ヒータを設けずに非冷領域として使用してもよい。
【図面の簡単な説明】
【００４２】
【図１】本発明を適用したショーケースの側面図である。
【図２】図１のショーケースの正面図である。
【図３】棚装置を取り外した状態の図１のショーケースの正面図である。
【図４】棚ダクト部材を引き出した状態の図１のショーケースの斜視図である。
【図５】棚ダクト部材を棚装置に取り付ける作業を説明する図１のショーケースの棚装置の拡大斜視図である。
【図６】図１のショーケースの棚ダクト部材の斜視図である。
【図７】図６の棚ダクト部材の拡大縦断正面図である。
【図８】図６の棚ダクト部材の側面図である。
【図９】図６の棚ダクト部材のもう一つの側面図である。
【符号の説明】
【００４３】
１  ショーケース
３  断熱壁
４  棚装置
５  棚ダクト部材
６  背面パネル
９  背面ダクト
１１  陳列室
１６  上部冷気吐出口
２１  ブラケット
２２  棚板
２３  棚支柱
２６  棚ダクト
２７  棚下冷気吐出口
２８  冷気導入口
２９  ダンパー部材
３６〜３９  背面パネル部材
４１  連通部
【図１】
2005131037.tif 000003
【図２】
2005131037.tif 000004
【図３】
2005131037.tif 000005
【図４】
2005131037.tif 000006
【図５】
2005131037.tif 000007
【図６】
2005131037.tif 000008
【図７】
2005131037.tif 000009
【図８】
2005131037.tif 000010
【図９】
2005131037.tif 000011